(57)【要約】      （修正有）【課題】計測ユニットと表示ユニットの間のデータ通信を無線式にして省線化したことで、設置作業や設置後の管理負担を軽減した無線式デマンド監視装置を提供する。【解決手段】無線式デマンド監視装置１ａは、計測ユニット２ａと、表示ユニット３により構成される。計測ユニット２ａは、クランプメータである計測センサ２１と、内部に電子計算機が組み込まれ、同電子計算機が受信部、演算処理部、記憶部及び出力部を含み、外側にデジタルパネルメータ２２５を設けた変換器２２と、変換器と有線接続された送信機２３とを有する。表示ユニット３は、送信機２３からの無線信号を受信する受信機３３と、受信機と有線接続され、モニタ３２と、情報処理部、記録部、インターネット送受信部を含むパーソナルコンピュータ３１を有する。送信機２３と受信機３３の間の通信には９２０ＭＨｚ帯の無線帯域を使用する。【選択図】図１
0003207472.tif 000002
【実用新案登録請求の範囲】
【請求項１】
計測センサと、該計測センサと接続され、同計測センサから伝送された計測値の情報を、無線送信可能な信号に変換可能な演算処理部を含む変換器と、該変換器と接続され、同変換器から伝送された前記変換後の信号を無線送信可能な送信機とを有する計測ユニットと、
前記送信機からの無線信号を受信可能な受信機と、モニタと、該モニタおよび前記受信機と接続され、前記変換後の信号に基づいてデマンド情報を生成すると共に、同デマンド情報あるいは前記変換後の信号に基づく前記計測値のいずれか一方または双方を前記モニタに表示できるように情報処理を行う情報処理部を含む電子計算機を有する表示ユニットとを備える
無線式デマンド監視装置。
【請求項２】
前記計測センサがクランプメータである
請求項１に記載の無線式デマンド監視装置。
【請求項３】
前記送信機と前記受信機の間の無線通信帯域が９２０ＭＨｚ帯である
請求項１または請求項２に記載の無線式デマンド監視装置。
【請求項４】
前記電子計算機が、前記計測値あるいは前記デマンド情報のいずれか一方または双方を記録する記録部と、インターネットを介した外部からのアクセスに応じて、前記記録部に記録された前記計測値あるいは前記デマンド情報をアクセス元に送信可能なインターネット送受信部とを含むものである
請求項１、請求項２または請求項３に記載の無線式デマンド監視装置。
【請求項５】
計測センサと、
該計測センサと接続され、同計測センサから伝送された計測値の情報を、無線送信可能な信号に変換可能な演算処理部を有する変換器と、
該変換器と接続され、同変換器から伝送された前記変換後の信号を無線送信可能な送信機とを備える
無線式デマンド監視装置用の計測ユニット。
【請求項６】
計測した計測値の情報を無線送信可能な信号に変換可能であると共に、変換後の信号を無線送信可能な計測ユニットからの同変換後の信号を受信可能な受信機と、
モニタと、
該モニタおよび前記受信機と接続され、前記変換後の信号に基づいてデマンド情報を生成すると共に、同デマンド情報あるいは前記変換後の信号に基づく前記計測値のいずれか一方または双方を前記モニタに表示できるように情報処理を行う情報処理部を有する電子計算機とを備える
無線式デマンド監視装置用の表示ユニット。
【考案の詳細な説明】
【技術分野】
【０００１】
本考案は、無線式デマンド監視装置、無線式デマンド監視装置用の計測ユニット、および無線式デマンド監視装置用の表示ユニットに関する。詳しくは、計測ユニットと表示ユニットとの間のデータ通信を無線方式にして省線化したことで、設置作業や設置後の管理負担を軽減することが可能なものに関する。
【背景技術】
【０００２】
以前から、工場等の施設に設置された機械類の制御や管理を目的として、電力、温度等の各種数値を計測する装置が使用されている。その一例として、非特許文献１に記載された電力のデマンド監視装置があり、施設運用に使用される設備や機械のエネルギーコスト削減、あるいは電力使用制限や供給電力不足への対応等を目的としている。このデマンド監視装置の構成を図５に示している。
【０００３】
図５に示すデマンド監視装置９は、メインユニット９１と、メインユニット９１にケーブルを介して接続された電力パルス計測センサ９２と、メインユニット９１に接続された表示画面部９３と、メインユニット９１に接続された警告報知部９４を有している。
【０００４】
電力パルス計測センサ９２は、例えば、計測対象となる機器に配電するキュービクルＣに取り付けられて使用電力量を計測し、その計測データをメインユニット９１にケーブルを介して伝送する。
【０００５】
そして、メインユニット９１は、受信した計測データを表示画面部９３に表示させて可視化させ、設定された数値を超える等した場合は警告報知部９４を作動させて、表示画面部９３のそばから離れた者であっても警報が出たことを知ることができるようにしてある。
【先行技術文献】
【非特許文献】
【０００６】
【非特許文献１】豊中計装株式会社  ＰＣデマンド監視装置  インターネット＜http://toyonakakeisou.com/01EC/03DMD/03PCdmd.htm＞
【考案の概要】
【考案が解決しようとする課題】
【０００７】
ところで、前述のデマンド監視装置９は、メインユニット９１と電力パルス計測センサ９２の間がケーブルによって接続されている。このため、メインユニット９１が設置された場所と電力パルス計測センサ９２が設置された場所との間の距離が遠いと、必然的にケーブルの長さも長くなる。
【０００８】
しかしながら、このような場合、ケーブルの取り回しにも配慮する必要があり、設置作業においてそれ相応の手間が掛かる。また、設置後においては、断線箇所を調べる等のメンテナンスも面倒であり、加えて、長さのあるケーブルの交換等には費用がそれ相応に掛かる。
【０００９】
本考案は、以上の点に鑑みて創案されたものであり、計測ユニットと表示ユニットとの間のデータ通信を無線方式にして省線化したことで、設置作業や設置後の管理負担を軽減することが可能な無線式デマンド監視装置、無線式デマンド監視装置用の計測ユニット、および無線式デマンド監視装置用の表示ユニットを提供することを目的とするものである。
【課題を解決するための手段】
【００１０】
上記の目的を達成するために本考案の無線式デマンド監視装置は、計測センサと、該計測センサと接続され、同計測センサから伝送された計測値の情報を、無線送信可能な信号に変換可能な演算処理部を含む変換器と、該変換器と接続され、同変換器から伝送された前記変換後の信号を無線送信可能な送信機とを有する計測ユニットと、前記送信機からの無線信号を受信可能な受信機と、モニタと、該モニタおよび前記受信機と接続され、前記変換後の信号に基づいてデマンド情報を生成すると共に、同デマンド情報あるいは前記変換後の信号に基づく前記計測値のいずれか一方または双方を前記モニタに表示できるように情報処理を行う情報処理部を含む電子計算機を有する表示ユニットとを備える。
【００１１】
ここで、計測ユニットは、計測センサを有することにより、計測対象から計測データを取得することができる。また、計測ユニットは、変換器を有することにより、接続された計測センサから伝送された計測値の情報を、無線送信可能な信号に変換することができる。
【００１２】
更に、計測ユニットは、送信機を有することにより、接続された変換器から伝送された前記変換後の信号（即ち、計測値の情報）を、無線送信することができる。
【００１３】
計測センサの計測対象としては、例えば、電力値、圧力値、流量値、液位値、温度値、音量値、紫外線、ガンマ線等の各種線量値、ガス等の濃度値、形状等の数値化可能な各種数値、レベル等が挙げられる。
【００１４】
また、「計測センサ」には、接触型（計測対象に直接接続する型式）と非接触型のいずれもが含まれる。なお、計測センサと変換器の間の接続は、有線と無線のいずれもが含まれる。
【００１５】
表示ユニットは、受信機を有することにより、前述の送信機からの無線信号を受信することができる。また、表示ユニットは、モニタと、情報処理部とを含む電子計算機を有することにより、接続された受信機から伝送された変換後の信号を処理し、計測センサで計測された計測値をモニタに表示することができる。
【００１６】
そして、前述の情報処理部により、前述の変換後の信号に基づいてデマンド情報を生成することができ、同デマンド情報についてもモニタに表示することができる。
【００１７】
デマンド情報としては、例えば、一定時間毎の計測値の推移のグラフ、個別の計測対象機器の消費電力、設置機器の系統別の使用電力量、電力デマンドの日報、週報または月報等の情報が挙げられる。
【００１８】
また、前記計測センサがクランプメータである場合は、クランプ部分に電気ケーブルを通した状態にするだけで設置作業を終えることができるので、設置作業の手間や危険性を軽減できるだけではなく、計測対象機器の電気ケーブルに傷を付けたり、稼働中の機器を止めたりすることなく、設置作業やメンテナンス作業を行うことができる。
【００１９】
また、前記送信機と前記受信機の間の無線通信帯域が９２０ＭＨｚ帯である場合は、９２０ＭＨｚ帯の電波が他の無線通信帯域よりも障害物による干渉が少なく、電波の回り込みが大きいという特徴を有し、通信距離が２．４ＧＨｚ帯の約１０倍、伝送速度が４００ＭＨｚ帯の１０倍以上であるため、前記送信機と前記受信機の間で伝搬特性が優れると共に高速無線通信が可能となる。
【００２０】
また、前記電子計算機が、前記計測値あるいは前記デマンド情報のいずれか一方または双方を記録する記録部と、インターネットを介した外部からのアクセスに応じて、前記記録部に記録された前記計測値あるいは前記デマンド情報をアクセス元に送信可能なインターネット送受信部とを含むものである場合は、外部からインターネットを介し、電子計算機の記録部に記録された計測値あるいはデマンド情報にアクセスすることができる。つまり、設備の管理者等が施設から外出していても、外出先から計測値あるいはデマンド情報にアクセスして、計測対象機器の状況を把握することができる。
【００２１】
上記の目的を達成するために本考案の無線式デマンド監視装置用の計測ユニットは、計測センサと、該計測センサと接続され、同計測センサから伝送された計測値の情報を、無線送信可能な信号に変換可能な演算処理部を有する変換器と、該変換器と接続され、同変換器から伝送された前記変換後の信号を無線送信可能な送信機とを備える。
【００２２】
ここで、計測ユニットは、計測センサを有することにより、計測対象から計測データを取得することができる。また、計測ユニットは、変換器を有することにより、接続された計測センサから伝送された計測値の情報を、無線送信可能な信号に変換することができる。
【００２３】
更に、計測ユニットは、送信機を有することにより、接続された変換器から伝送された前記変換後の信号（即ち、計測値の情報）を、例えば、表示ユニットの受信機等へ無線送信することができる。
【００２４】
上記の目的を達成するために本考案の無線式デマンド監視装置用の表示ユニットは、計測した計測値の情報を無線送信可能な信号に変換可能であると共に、変換後の信号を無線送信可能な計測ユニットからの同変換後の信号を受信可能な受信機と、モニタと、該モニタおよび前記受信機と接続され、前記変換後の信号に基づいてデマンド情報を生成すると共に、同デマンド情報あるいは前記変換後の信号に基づく前記計測値のいずれか一方または双方を前記モニタに表示できるように情報処理を行う情報処理部を有する電子計算機とを備える。
【００２５】
ここで、無線式デマンド監視装置用の表示ユニットは、受信機を備えることにより、前述の計測ユニットが発する変換後の信号を受信することができる。
【００２６】
また、無線式デマンド監視装置用の表示ユニットは、モニタと、前述の情報処理部を有する電子計算機を備えることにより、接続された受信機から伝送された変換後の信号を処理し、計測センサで計測された計測値をモニタに表示することができる。
【００２７】
そして、前述の情報処理部により、前述の変換後の信号に基づいてデマンド情報を生成することができ、同デマンド情報についてもモニタに表示することができる。
【考案の効果】
【００２８】
本考案の無線式デマンド監視装置によれば、計測ユニットと表示ユニットとの間のデータ通信を無線方式にして省線化したことで、設置作業や設置後の管理負担を軽減することができる。
本考案の無線式デマンド監視装置用の計測ユニットによれば、計測ユニットから行うデータ通信を無線方式にして省線化したことで、設置作業や設置後の管理負担を軽減することができる。
本考案の無線式デマンド監視装置用の表示ユニットによれば、受信する計測ユニットからのデータ通信を無線方式にして省線化したことで、設置作業や設置後の管理負担を軽減することができる。
【図面の簡単な説明】
【００２９】
【図１】本実施の形態に係る無線式デマンド監視装置の概略を示す説明図である。
【図２】図１に示す無線式デマンド監視装置の計測センサであるクランプメータの設置態様を示す説明図である。
【図３】図１に示す無線式デマンド監視装置の変換器の内部構成の概略を示すブロック図である。
【図４】本考案の無線式デマンド監視装置の変形例の概略を示す説明図である。
【図５】特許文献１記載のデマンド監視装置の構成を示した説明図である。
【考案を実施するための形態】
【００３０】
図１ないし図４を参照して、本考案の実施の形態を更に詳細に説明する。なお、各図における符号は、煩雑さを軽減し理解を容易にする範囲内で付している。
【００３１】
図１を参照する。図１に示す無線式デマンド監視装置１ａは、計測ユニット２ａと、表示ユニット３により構成されている。
【００３２】
なお、図１では、説明の便宜上、計測ユニット２ａは１つであるが、これに限定するものではなく、表示ユニット３が受信可能なチャンネル数の範囲であれば、計測ユニット２ａは２以上の複数であってもよい。以下、図１〜図３を主に参照して、無線式デマンド監視装置１ａの各部について説明する。
【００３３】
（計測ユニット２ａ）
計測ユニット２ａは、計測センサ２１と、変換器２２と、送信機２３とを有する。本実施の形態において、計測センサ２１は電流値を測定するクランプメータであり、出力用リード線２１０により変換器２２と有線接続されている。
【００３４】
この計測センサ２１は、先部に設けられた環状の測定部（クランプ）に、測定したい電気機器、配電盤等の測定対象機器Ｍの電気ケーブル４を通した状態にするだけで、電流値を計測できるものである（図１、図２参照）。
【００３５】
変換器２２は、変換器２２の筐体内部に電子計算機（図示省略）が組み込まれており、同電子計算機は、受信部２２１と、演算処理部２２２と、記憶部２２３と、出力部２２４を含んでいる（図３参照）。
【００３６】
また、変換器２２は、本体の外側に、デジタルパネルメータ２２５と、計測センサ２１の出力用リード線のプラグを接続するプラグ差込口（図示省略）が設けられている。
【００３７】
受信部２２１は、計測センサ２１が計測し、伝送された電流値の情報を受信する機能を有する。演算処理部２２２は、受信部２２１で受信した電流値の情報を、無線送信可能な信号に変換する機能を有する。
【００３８】
記憶部２２３は、演算処理部２２２により変換された変換後の電流値の信号を記憶（保存）する機能を有する。
【００３９】
出力部２２４は、送信機２３に変換された電流値の信号を出力すると共に、デジタルパネルメータ２２５に電流値を表示可能に出力する機能を有する。
【００４０】
デジタルパネルメータ２２５は、計測された電流値を、例えば７セグメントディスプレイ等で表示するものである。
【００４１】
送信機２３は、変換器２２と有線接続されており、変換器２２から伝送された前記変換後の信号を後述する受信機３２へ９２０ＭＨｚ帯の無線信号を用いて送信する機能を有する。
【００４２】
本実施の形態において、計測センサ２１には、非接触型であるクランプメータを採用しているが、これに限定するものではなく、例えば、検出素子としてサーモパイルを使用した非接触型の温度の計測センサ、可視半導体レーザを使用した非接触型の形状の計測センサ等の非接触型のものであってもよいし、各種接触型のセンサであってもよい。
【００４３】
なお、非接触型の計測センサであれば、計測対象機器の電気ケーブル等に傷を付けたり、稼働中の機器を止めたりすることなく、設置作業やメンテナンス作業を行うことができ、より好適である。なお、本明細書中における用語「電気ケーブル」は、家電等に使用される電気「コード」も含む意味で使用している。
【００４４】
本実施の形態において、変換器２２は、計測センサ２１と有線接続されているが、これに限定するものではなく、例えば、無線接続されたものであってもよい。
【００４５】
本実施の形態において、デジタルパネルメータ２２５には、７セグメントディスプレイを採用しているが、これに限定するものではなく、例えば、有機ＥＬ画面や液晶画面等の各種表示装置を採用してもよい。
【００４６】
また、変換器２２にはＵＳＢポートを設け、記憶部２２３に蓄積された計測データをＵＳＢメモリやハードディスク等の外部記憶装置へ出力できるようにしたものであってもよい。
【００４７】
（表示ユニット３）
表示ユニット３は、電子計算機であるパーソナルコンピュータ３１と、モニタ３２と、受信機３３を有する。受信機３３は、送信機２３からの無線信号を受信する機能を有する。
【００４８】
パーソナルコンピュータ３１は、受信機３３と有線接続されており、情報処理部（図示省略）、記録部（図示省略）、インターネット送受信部（図示省略）を含んでいる。
【００４９】
情報処理部は、受信機３３から伝送された変換後の信号を処理し、計測センサで計測された電流値をモニタ３２に表示する機能を有する。
【００５０】
更に、情報処理部は、前述の変換後の信号に基づいてデマンド情報（例えば、一定時間毎の電流値の推移のグラフ等）をモニタ３２に出力する機能を有する。
【００５１】
記録部は、前述の電流値あるいはデマンド情報のいずれか一方または双方を記録できる機能を有する。
【００５２】
インターネット送受信部は、インターネットを介した外部からのアクセスに応じて、記録部に記録された電流値あるいはデマンド情報のいずれか一方または双方をアクセス元に送信できる機能を有する。
【００５３】
本実施の形態では特に設けていないが、例えば、送信機２３と受信機３３の間には中継器を設置してもよく、この場合、通常であれば信号が届かない距離が離れた広大な施設や、信号が届きにくい施設であっても、好適に信号を送ることができる。
【００５４】
本実施の形態において、送信機２３と受信機３３の間の通信は、９２０ＭＨｚ帯の無線帯域を使用するものであるが、これに限定するものではなく、例えば、４００ＭＨｚ帯や８００ＭＨｚ帯、２．４ＧＨｚ帯や５ＧＨｚ帯等であってもよく、規格においても、ＺｉｇＢｅｅ、無線ＬＡＮ、Ｂｌｕｅｔｏｏｔｈ（登録商標）その他の通信規格による通信方法を採用してもよい。
【００５５】
（作  用）
無線式デマンド監視装置１ａの作用について、以下説明する。
＜設置作業＞
前述の通り、無線式デマンド監視装置１ａは、計測センサ２１がクランプメータであるため、例えば、クランプ部分を開き、稼働中の測定対象機器Ｍの電気ケーブル４がそのクランプ部分の枠内に収まるようにして閉じることで取り付けることができる。
【００５６】
このように、測定対象機器Ｍの電気ケーブル４を通した状態にすれば設置できるので、設置作業の手間や危険性を軽減できるだけではなく、計測対象機器の電気ケーブル４に傷を付けたり、既設の稼働中の機器を止めたりすることなく、設置作業やメンテナンス作業を行うことができる。
【００５７】
＜デマンド監視＞
無線式デマンド監視装置１ａは、計測ユニット２ａの計測センサ２１により、計測対象である測定対象機器Ｍから、計測データである電流値を取得する。そして、電流値の情報は変換器２２に伝送され、変換器２２の受信部２２１で同情報を受信する。
【００５８】
受信部２２１で受信した電流値の情報は、演算処理部２２２によって無線送信可能な信号に変換される。演算処理部２２２により変換された電流値の信号は、記憶部２２３に保存される。出力部２２４は、記憶部２２３と協働し、保存された変換後の電流値の信号を送信機２３に出力する。
【００５９】
そして、送信機２３は、出力部２２４から伝送された変換後の電流値の信号を、受信機３３へ無線送信する。
【００６０】
このとき、送信機２３と受信機３３の間の通信は、無線通信帯域が９２０ＭＨｚ帯であるため、他の無線通信帯域よりも障害物による電波への干渉が少ないと共に、電波の回り込みが大きいため伝搬特性に優れ、高速無線通信が可能となる。
【００６１】
また、出力部２２４は、デジタルパネルメータ２２５に電流値が表示されるように出力し、デジタルパネルメータ２２５には計測された電流値が表示される。
【００６２】
つまり、表示ユニット３から離れ、計測ユニット２ａ近傍にいる者であっても、デジタルパネルメータ２２５を見ることで、測定対象機器Ｍの電流値を直接目視することができる。
【００６３】
受信機３３は、送信機２３から変換後の電流値の信号を受信し、パーソナルコンピュータ３１へ伝送する。
【００６４】
パーソナルコンピュータ３１は、情報処理部が受信した信号を処理してモニタ３２に電流値あるいはデマンド情報のいずれか一方または双方を表示させる。また、パーソナルコンピュータ３１は、記録部が電流値あるいはデマンド情報のいずれか一方または双方を記録する。
【００６５】
つまり、無線式デマンド監視装置１ａは、表示ユニット３のモニタ３２を介して、測定対象機器Ｍの電流値あるいはデマンド情報のいずれか一方または双方を表示することができ、これによって測定対象機器Ｍの電力デマンドを監視することができる。
【００６６】
加えて、パーソナルコンピュータ３１は、インターネット送受信部により、インターネットを介した外部からのアクセスに応じて、記録部に記録された電流値あるいはデマンド情報のいずれか一方または双方をアクセス元に送信する。
【００６７】
これにより、無線式デマンド監視装置１ａが設置された施設の管理者等が、外出等して表示ユニット３から離れた場所にいる場合であっても、外出先から電流値あるいはデマンド情報のいずれか一方または双方にアクセスして、測定対象機器Ｍの状況を把握することができる。
【００６８】
＜変形例＞
図４を参照する。図４に示す無線式デマンド監視装置１ｂは、計測ユニット２ｂと、表示ユニット３により構成されている。無線式デマンド監視装置１ｂは、送信機２１１を有する計測センサ２１と変換器２２が無線接続されている点において、無線式デマンド監視装置１ａと異なっている。送信機２１１は、計測センサ２１で計測された電流値を無線通信によって変換器２２へ送信する機能を有する。
【００６９】
無線式デマンド監視装置１ｂは、計測センサ２１と変換器２２が無線接続されていることにより、計測センサ２１と変換器２２の間の出力用リード線の配線等を考慮する必要がないので、設置作業の手間が軽減されるだけではなく、設置後のメンテナンス作業の手間も軽減される。
【００７０】
本明細書および実用新案登録請求の範囲で使用している用語と表現は、あくまでも説明上のものであって、なんら限定的なものではなく、本明細書および実用新案登録請求の範囲に記述された特徴およびその一部と等価の用語や表現を除外する意図はない。また、本考案の技術思想の範囲内で、種々の変形態様が可能であるということは言うまでもない。
【符号の説明】
【００７１】
１ａ、１ｂ    無線式デマンド監視装置
２ａ、２ｂ    計測ユニット
２１    計測センサ
２１０    出力用リード線
２１１    送信機
２２    変換器
２２１    受信部
２２２    演算処理部
２２３    記憶部
２２４    出力部
２２５    デジタルパネルメータ
２３    送信機
３    表示ユニット
３１    パーソナルコンピュータ
３２    モニタ
３３    受信機
４    電気ケーブル
Ｍ    測定対象機器
９    デマンド監視装置
９１    メインユニット
９２    電力パルス計測センサ
９３    表示画面部
９４    警告報知部
Ｃ    キュービクル
【図１】
0003207472.tif 000003
【図２】
0003207472.tif 000004
【図３】
0003207472.tif 000005
【図４】
0003207472.tif 000006
【図５】
0003207472.tif 000007